(57)【特許請求の範囲】
【請求項１】
光サブキャリア変調された信号を復調して受信する光受信器において、
入力する光信号を、発振手段の出力する発振周波数の電気信号で変調して乗算操作を行う第１および第２の光変調手段と、
前記第１および第２の光変調手段に互いに直交する位相の前記電気信号を出力して、当該第１および第２の光変調手段を駆動させる前記発振手段と、
前記変調された光信号を電気信号にそれぞれ光電気変換する第１および第２の光電気変換手段と、
前記変換された電気信号を乗算する乗算手段と、
前記乗算された電気信号によって前記発振手段の発振周波数または位相を制御する制御手段と、
複数の光ファイバによって伝送された光信号を合波し、合波した光信号を前記光変調手段に出力する合波手段と
を備えたことを特徴とする光受信器。
【請求項２】
前記光変調手段として光変調器、光スイッチ、利得を電気信号で変調する光増幅器、光変調器を組み合わせた光増幅器のうちの少なくとも一つを備えることを特徴とする請求項１に記載の光受信器。
【請求項３】
前記光変調手段は、差動出力型の光変調手段からなり、前記入力する光信号を電気信号で変調して少なくとも２つの光信号を出力し、前記光電気変換手段は、差動入力型の光電気変換手段からなり、前記変調された各光信号を電気信号に変換することを特徴とする請求項１または２に記載の光受信器。
【発明の詳細な説明】
【０００１】
【発明の属する技術分野】
本発明は、光サブキャリア変調された信号を復調して受信する光受信器に関し、特に、光信号を電気信号で変調して乗算操作を行う光受信器に関するものである。
【０００２】
【従来の技術】
従来の光サブキャリア通信を行うものとしては、例えば特開２０００−１３８６４４号公報に記載されているように、集中制御局から各アンテナ局にサブキャリア多重された変調済みの光信号を、フォトダイオードで光電気変換した後、サブキャリア周波数を中心として通過させる帯域通過フィルタ回路で濾波後に復調を行っていた。
【０００３】
図７は、光サブキャリア通信を行う通信システムの従来例の構成を示す図である。図７において、集中制御局１０と複数のアンテナ局２０とは、光ファイバ３０を介して接続されており、この光ファイバ３０の中間には光分岐統合器３１が設けられ、集中制御局１０から入力する光信号を分岐させて各アンテナ局２０に分配している。集中制御局１０は、各データ信号が入力する入力端子１１と、変調器１２と、周波数変換器１３と、２つのパイロットキャリア発生器１４，１５と、合成器１６と、レーザドライバ１７と、レーザ素子１８とから構成され、アンテナ局２０は、光ファイバ３０から光信号が入力するフォトダイオード２１と、データ信号分離器２２と、２つのパイロットキャリア分離器２３，２４と、周波数変換器２５と、アンテナ２６とから構成されている。
【０００４】
集中制御局１０では、各入力端子１１から入力したデータによって変調器１２で変調された信号は、周波数変換器１３で周波数変換されて合成器１６に入力する。この合成器１６には、パイロットキャリア発生器１４，１５から異なる周波数のパイロットキャリア信号が入力しており、合成器１６は、パイロットキャリア信号および周波数変換された信号を合成して出力している。レーザドライバ１７は、この出力された信号に対応してレーザ素子１８を駆動させ、サブキャリア多重された変調済みの光信号を光ファイバ３０へ出力している。
【０００５】
アンテナ局２０は、入力する光信号を、フォトダイオード２１で光電気変換した後、データ信号周波数、サブキャリア周波数をデータ信号分離器２２およびパイロットキャリア分離器２３，２４で分離して通過させた後に、周波数変換器２５で周波数変換してデータをアンテナ２６に送出していた。
【０００６】
【発明が解決しようとする課題】
しかしながら、上記従来の技術によれば、例えば主信号である高速光信号にごくわずかにサブキャリア重畳された監視制御信号のように、著しく信号対雑音比（ＳＮ比）の悪い信号を受信する時には、雑音による増幅器の飽和を避けて所定の利得を得るために、上記サブキャリア周波数を中心とした極めて狭帯域の帯域通過フィルタ回路を用いて、ＳＮ比の改善を行う必要がある。
【０００７】
ところが、一般的には、帯域通過フィルタ回路の帯域を狭くすると、中心周波数の温度特性や経年変化に対する要求が厳しくなり、また中心周波数が低い場合には、回路のサイズも大きくなるという問題点があった。
【０００８】
本発明は、上記問題点に鑑みてなされたものであって、信号対雑音比の悪い信号を精度良く復調できる受信器を得ることを目的とする。
【０００９】
【課題を解決するための手段】
上述した課題を解決し、目的を達成するために、この発明にかかる光受信器では、光サブキャリア変調された信号を復調して受信する光受信器において、入力する光信号を変調する変調手段と、前記変調手段を駆動させる発振手段と、前記変調された光信号を電気信号に光電気変換する光電気変換手段と、前記変換された電気信号によって前記発振手段の発振周波数または位相を制御する制御手段とを備えることを特徴とする。
【００１０】
この発明によれば、光変調手段を光電気変換手段の前に配置して、入力する光信号を発振手段からの出力で変調し、従来、電気回路で行っていた乗算操作を光信号の状態のままで行い、さらに光電気変換手段から出力される電気信号を用いて発振手段の発振周波数や位相を制御して、発振手段の出力をサブキャリア信号に位相同期させることで、光電気変換手段の出力で直接ベースバンド信号を得るようにする。
【００１１】
つぎの発明にかかる光受信器にあっては、光サブキャリア変調された信号を復調して受信する光受信器において、入力する光信号を変調する第１および第２の光変調手段と、前記第１および第２の光変調手段に互いに直交する位相の信号を出力して、当該第１および第２の光変調手段を駆動させる発振手段と、前記変調された光信号を電気信号にそれぞれ光電気変換する第１および第２の光電気変換手段と、前記変換された電気信号を乗算する乗算手段と、前記乗算された電気信号によって前記発振手段の発振周波数または位相を制御する制御手段とを備えることを特徴とする。
【００１２】
この発明によれば、発振手段によって第１および第２の光変調手段に互いに直交する位相の出力を与えて光信号の変調を行わせ、この変調された２つの光信号を光電気変換して電気信号を得て、さらに乗算した電気信号を用いて発振手段の発振周波数や位相を制御して、発振手段の出力をサブキャリア信号に位相同期させることで、光電気変換手段の出力で直接ベースバンド信号を得るようにする。
【００１３】
つぎの発明にかかる光受信器にあっては、上記の発明において、複数の光ファイバによって伝送された光信号を合波する合波手段をさらに備え、前記合波した光信号を前記光変調手段に出力することを特徴とする。
【００１４】
この発明によれば、複数の光信号が入力する場合には、これらを合波した後に変調して乗算操作を行い、さらに光電気変換手段から出力される電気信号を用いて発振手段の発振周波数や位相を制御して、発振手段の出力をサブキャリア信号に位相同期させる。
【００１５】
つぎの発明にかかる光受信器にあっては、上記発明において、光変調手段として光変調器、光スイッチ、利得を電気信号で変調する光増幅器のうちの少なくとも一つを備えることを特徴とする。
【００１６】
この発明によれば、光変調手段としては、光変調器に限らず、光スイッチ、利得を電気信号で変調する光増幅器、光変調器を組み合わせた光増幅器などのいずれかの装置を用いることでも光信号の変調を可能にする。
【００１７】
つぎの発明にかかる光受信器にあっては、上記の発明において、光変調手段は、差動出力型の光変調手段からなり、変調された少なくとも２つの光信号を出力し、前記光電気変換手段は、差動入力型の光電気変換手段からなり、前記各光信号を電気信号に変換することを特徴とする。
【００１８】
この発明によれば、差動出力型の光変調手段によって、入力する光信号を電気信号で変調して２つの光信号を出力し、また差動入力型の光電気変換手段によって、前記変調された各光信号を電気信号に変換して、位相の反転した２種類の発振出力を乗算したものと等価な２つの信号を得る。
【００１９】
【発明の実施の形態】
以下、本発明にかかる光受信器の実施の形態を図面に基づいて詳細に説明する。なお、この実施の形態によりこの発明が限定されるものではない。
【００２０】
実施の形態１．
図１は、この発明の実施の形態１にかかる光受信器の構成を示すブロック図である。図１において、光受信器４０は、図示しない複数の光ファイバなどを介して光信号が入力する複数の入力端子４１と、光合分波器４２と、光変調器４３と、光電気変換素子４４と、電気増幅器４５と、発振周波数を入力電流／電圧で可変に設定できる発振器４６と、この発振器４６を制御するループ回路４７と、低域通過フィルタ（以下、「ＬＰＦ」という）４８と、ベースバンド信号（データ信号）を出力する出力端子４９とから構成されている。
【００２１】
光合分波器４２は、例えば光カプラ、平面光導波路、または波長多重合分波器などからなり、各入力端子４１から入力する光信号を合波して出力する。なお、この光合分波器４２は、光信号が入力する光ファイバが１本の場合には、これを省略することができる。光変調器４３は、例えばＬＮ（Ｌｉｔｈｉｕｍ  Ｎｉｏｂａｔｅ）変調器、ＥＡ（電界吸収型）変調器、音響光学スイッチ、メカニカルスイッチ、半導体光増幅器や励起レーザの出力変調可能なファイバ増幅器、または光変調器を内蔵したファイバ増幅器などを用いることが可能であり、発振器４６から入力する発振周波数の信号で光合分波器４２からの光信号を変調するように駆動している。
【００２２】
光電気変換素子４４は、例えばフォトダイオードからなり、この光電気変換素子４４と電気増幅器４５とは、光電気変換器を構成している。ループ回路４７は、図２に示すように、電気信号が入力する入力端子４７ａと、信号の直流成分を遮断するコンデンサ４７ｂと、乗算器４７ｃと、ループフィルタ４７ｄと、増幅器４７ｅと、加算器４７ｆと、ディザ発振器４７ｇと、発振器４６へ制御信号を出力する出力端子４７ｈと、ＬＰＦ４７ｉと、ＬＰＦ４８へデータ信号を出力する出力端子４７ｊとから構成されている。
【００２３】
このような構成において、各入力端子４１から光信号が入力すると、光合分波器４２は、これら光信号を合波して光変調器４３に出力する。光変調器４３では、入力する光信号を発振器４６からの発振周波数の電気信号で変調して乗算操作を行う。この変調された光信号は、光電気変換素子４４によって電気信号に変換され、ついで電気増幅器４５で増幅されてループ回路４７へ出力される。
【００２４】
この電気増幅器４５から出力される電気信号は、サブキャリア信号とディザ発振器４７ｇからの発振周波数信号との周波数差や位相差情報が含まれている。そこで、ループ回路４７では、乗算器４７ｃを用いて電気増幅器４５の出力にディザ発振器４７ｇからの出力を乗算させることによって、発振器４６の発振周波数信号を光合分波器４２からのサブキャリア信号に同期させている。つまり、これは光変調器４３を用いてベースバンド信号の同期検波を行うことであり、光電気変換素子４４と電気増幅器４５の出力から直接にベースバンド信号を得ることができる。
【００２５】
乗算器４７ｃの出力は、ＬＰＦの機能を有するループフィルタ４７ｄで低域周波数成分の出力となり、かつ増幅器４７ｅで増幅された後に、加算器４７ｆおよびＬＰＦ４７ｉに入力される。
【００２６】
ところで、電気増幅器４５からの出力は、入力された光信号の平均値である直流成分を含んでいるため、通常のＰＬＬ（位相同期ループ）のようにループ回路に適当な低域通過特性を持たせただけでは位相同期動作は得られない。そこで、この実施の形態１では、加算器４７ｆにおいて増幅器４７ｅの出力である発振器制御信号に、ディザ発振器４７ｇからの出力を加えて重畳させ、微小な位相変調を行い、入力端子４７ａに入力するベースバンド信号の同期検波を行っている。この操作により、光変調器４３で行う位相検波出力特性は、等価的に微分されて直流成分は除去されることとなる。
【００２７】
したがって、サブキャリア信号がＡＳＫ（Ａｍｐｌｉｔｕｄｅ  Ｓｈｉｆｔ  Ｋｅｙｉｎｇ）信号またはＦＳＫ（Ｆｒｅｑｕｅｎｃｙ  Ｓｈｉｆｔ  Ｋｅｙｉｎｇ）信号の場合には、ループ回路４７の出力がＬＰＦ４８を通過させた後に、適当な判別、例えば閾値を設けて増幅器４７ｅの出力と比較して判別を行うことによってデータ信号を復調することが可能となる。
【００２８】
この実施の形態１によれば、光変調器を光電気変換素子の前段に配置させ、光信号を発振器からの出力で変調し、従来例では電気回路で行っていた乗算操作を光信号に対して行い、光電気変換器および増幅器から出力される電気信号を用いて上記発振器の発振周波数や位相を制御して、サブキャリア信号に発振器の出力を位相同期させることによって光電気変換器の出力で直接ベースバンド信号を得ることで、所定のＳＮ比を得ることができ、ＳＮ比の悪い信号を精度良く復調できる。
【００２９】
また、この実施の形態１によれば、光電気変換器から直接ベースバンド信号が得られるので、所定のＳＮ比を得るための帯域制限は、ＬＰＦを用いれば良く、従来例のように高精度でサイズの大きな帯域通過型フィルタを用いる必要がなくなって、省スペース、低価格化が図られる。
【００３０】
実施の形態２．
図３は、この発明の実施の形態２にかかる光受信器の構成を示すブロック図である。なお、以下の図において、図１に示した構成部分と同一の構成部分については、同一符号を付すものとする。
【００３１】
図３において、この実施の形態２では、光変調器として差動出力光変調器５０を用いて、位相の異なる２種類の光信号を光電気変換素子４４ａ，４４ｂにそれぞれ送出しており、これら光信号は、光電気変換素子４４ａ，４４ｂによって、電気信号に変換されている。なお、その他の構成は、図１に示した光受信器と同じである。
【００３２】
差動出力光変調器５０は、例えば図４のブロック図に示すように、光合分波器５０ａと、変調器５０ｂ，５０ｃと、位相反転器５０ｄとから構成されている。図４において、変調器５０ｂ，５０ｃは、例えば半導体光増幅器やＥＡ変調器などの単相出力の変調器であり、発振器４６から入力する発振周波数信号で光合分波器５０ａからの光信号を変調している。位相反転器５０ｄは、発振器４６からの発信周波数信号を位相反転して変調器５０ｃに出力している。なお、光電気変換素子４４ａ，４４ｂは、逆相で電気増幅器４５と接続されている。
【００３３】
つぎに、図５のブロック図を用いて差動出力光変調器の動作を説明する。図５において、光合分波器４２からの光信号Ｓ１は、入力端子５１を介して差動出力光変調器５０に入力する。ここで、光信号Ｓ１は、発振器４６からの出力によって変調されて乗算操作が行われ、位相の反転した２種類の発振器出力を乗算したものと等価な２つの光信号Ｓ２，Ｓ３となる。これら光信号Ｓ２，Ｓ３は、出力端子５２，５３を介して光電気変換素子４４ａ，４４ｂにそれぞれ入力し、ここで電気信号にそれぞれ変換される。光電気変換素子４４ａ，４４ｂと、光電気変換素子４４ａ，４４ｂを逆相で接続した電気増幅器４５とは、光信号を光電気変換素子４４ａと４４ｂに入力させた場合に出力極性が逆になる差動入力光電気変換器として動作するため、差動出力光変調器５０からの２つの光信号Ｓ２，Ｓ３が光電気変換素子４４ａ，４４ｂに同時に入力すると、平均光電力に相当する直流成分は相殺され、サブキャリア信号と発振器４６の出力の乗算結果のみを電気増幅器４５から電気信号として取り出すことができる。
【００３４】
したがって、この電気信号を用いれば適当なループ回路を用いることによって、容易に発振器の出力信号をサブキャリア信号に同期させることができ、これは光変調器を用いて同期検波を行っていることであり、光電気変換素子４４ａ，４４ｂと電気増幅器４５とからなる光電気変換器の出力から直接にベースバンド信号が得られる。
【００３５】
前述のように、平均光電力に相当する直流成分は相殺されるため、ループ回路４７としては、例えばＰＬＬなどのごく一般的な低域通過特性のものを用いることが可能である。また、電気増幅器４５は、例えば帰還回路にコンデンサを並列に配置するなどの構成にすることで、容易に狭帯域な低域選択型の増幅特性を持たせることができ、これによりＳＮ比の悪い信号に対しても容易に高い利得が得られる。
【００３６】
したがって、サブキャリア信号が例えばＡＳＫ信号またはＦＳＫ信号の場合には、ループ回路４７の出力がＬＰＦ４８を通過させた後に、例えば実施の形態１と同様に、閾値を設けて増幅器４７ｅの出力と比較して判別を行うことによってデータ信号を復調することが可能となる。
【００３７】
この実施の形態２によれば、光変調器に差動出力光変調器を用いて、位相の反転した２種類の発振器出力を乗算したものと等価な２つの光信号を得て、これら光信号を同時に光電気変換器に入力させて平均光電力に相当する直流成分を相殺させるので、サブキャリア信号と発振器出力の乗算結果のみを光電気変換器から取り出すことができる。これにより、この実施の形態では、ＳＮ比の悪い信号に対しても容易に高い利得を得ることができ、ＳＮ比の悪い信号を精度良く復調できる。
【００３８】
なお、差動出力光変調器としては、実施の形態２に示したものの他に、例えばマッハツェンダー形変調器の２つのアームの合波部分をカプラ形にしたり、音響光学スイッチ、光路切り替え型メカニカルスイッチなどを用いることができる。
【００３９】
実施の形態３．
図６は、この発明の実施の形態３にかかる光受信器の構成を示すブロック図である。図６において、光受信器４０は、光信号が入力する複数の入力端子４１と、光合分波器４２と、差動出力光変調器５０ｅ，５０ｆと、光電気変換素子４４ａ〜４４ｄと、電気増幅器４５ａ，４５ｂと、発振周波数を入力電流／電圧で可変に設定できる発振器４６と、この発振器４６を制御するループ回路４７と、ＬＰＦ４８ａ，４８ｂと、ベースバンド信号を出力する出力端子４９と、ＬＰＦ４８ａ，４８ｂからの出力を乗算する乗算器５５と、発振器４６からの出力信号の位相を９０度ずらす位相シフタ５６とから構成されている。
【００４０】
光合分波器４２は、各入力端子４１から入力する光信号を合波して、２つの差動出力光変調器５０ｅ，５０ｆに出力している。位相シフタ５６は、例えば発振器４６をサブキャリア周波数の２Ｎ（Ｎは任意の整数）倍の発振周波数の発振器とし、この発振器とシフトレジスタ型分周器とを組み合わせることで容易に構成することができる。なお、図６の構成は、実施の形態２で説明した乗算器としての機能を有する差動出力光変調器５０ｅ，５０ｆと差動入力光電気変換器（光電気変換素子４４ａ，４４ｂと電気増幅器４５ａ、光電気変換素子４４ｃ，４４ｄと電気増幅器４５ｂ）を用いている点を除けば、コスタス（ＣＯＳＴＡＳ）ループとして公知のトラッキングループであり、ＬＰＦ４８ａ，４８ｂからの信号を乗算器５５で乗算して等価的に位相を逓倍した信号により、発振器４６の制御を行っている。
【００４１】
光合分波器４２からの光信号は、差動出力光変調器５０ｅ，５０ｆに入力し、ここで光信号は、発振器４６からの出力によって変調されて乗算操作が行われ、位相の反転した２種類の発振器出力を乗算したものと等価な２つずつの光信号（すなわち、差動出力光変調器５０ｅ，５０ｆの４つの出力）となる。これら光信号は、光電気変換素子４４ａ〜４４ｄにそれぞれ入力し、ここで電気信号にそれぞれ変換され、実施の形態２と同様に、平均光電力に相当する直流成分が相殺された電気信号として電気増幅器４５ａ，４５ｂからそれぞれ出力される。そして、これら電気信号は、ＬＰＦ４８ａ，４８ｂによって低域周波数成分の出力となって乗算器５５で乗算される。ループ回路４７では、この電気信号を用いて発振器４６の制御を行い、発振器４６の出力をサブキャリア信号に同期させる。
【００４２】
このように、この実施の形態３でも、平均光電力に相当する直流成分は相殺されるため、ループ回路４７としては、ＰＬＬなどのごく一般的な低域通過特性のものを用いることが可能である。また、電気増幅器４５も、帰還回路にコンデンサを並列に配置するなどの構成にすることで、容易に狭帯域な低域選択型の増幅特性を持たせることができ、これによりＳＮ比の悪い信号に対しても容易に高い利得が得られる。
【００４３】
したがって、サブキャリア信号が例えばＢＰＳＫ（Ｂｉｎａｒｙ  ＰｈａｓｅＳｈｉｆｔ  Ｋｅｙｉｎｇ）信号の場合には、出力端子４９から復調されたデータ信号を取り出すことが可能となる。
【００４４】
この実施の形態３によれば、２つの差動出力光変調器とコスタスループを用いて、位相の反転した発振器出力を乗算したものと等価な４つの光信号を得て、これらを光電気変換器に入力させて平均光電力に相当する直流成分を相殺させるので、サブキャリア信号と発振器出力の乗算結果のみを光電気変換器から取り出すことができる。これにより、この実施の形態では、実施の形態２と同様に、ＳＮ比の悪い信号に対しても容易に高い利得を得ることができ、ＳＮ比の悪い信号を精度良く復調できる。
【００４５】
なお、この実施の形態３では、差動出力型の光変調器を用いた場合について説明したが、この発明はこれに限らず、例えば実施の形態１に示した単相出力の光変調器を用いることも可能である。
【００４６】
【発明の効果】
以上説明したように、この発明によれば、入力する光信号を発振出力で変調し、乗算操作を光信号の状態のままで行い、さらに光電気変換された電気信号を用いて発振周波数や位相を制御して、発振出力をサブキャリア信号に位相同期させることで、光電気変換された出力で直接ベースバンド信号を得ることができるので、所定のＳＮ比を得ることができ、信号対雑音比の悪い信号を精度良く復調できるという効果を奏する。
【００４７】
つぎの発明によれば、２つの光変調器とコスタスループを用いて、平均光電力に相当する直流成分を相殺させることで、サブキャリア信号と発振器出力の乗算結果のみを光電気変換器から取り出すので、ＳＮ比の悪い信号に対しても容易に高い利得を得ることができ、ＳＮ比の悪い信号を精度良く復調できるという効果を奏する。
【００４８】
つぎの発明によれば、複数の光ファイバから入力する光信号を合波した後に変調して乗算操作を行い、さらにこの光信号を変換した電気信号を用いて発振周波数や位相を制御して、発振出力をサブキャリア信号に位相同期させるので、複数の光信号に対しても精度良く復調できるという効果を奏する。
【００４９】
つぎの発明によれば、光変調器、光スイッチ、利得を電気信号で変調する光増幅器、光変調器を組み合わせた光増幅器などを用いて光信号の変調を行うので、光変調器に限らず、変調機能を有する上記のような装置を用いて光変調を行っても所定のＳＮ比を得ることができ、光信号を精度良く復調できるという効果を奏する。
【００５０】
つぎの発明によれば、差動出力型の光変調手段と差動入力型の光電気変換手段によって位相の反転した２種類の発振出力を乗算したものと等価な２つの信号を得て、これら光信号を同時に光電気変換器に入力させて平均光電力に相当する直流成分を相殺させるので、ＳＮ比の悪い信号に対しても容易に高い利得を得ることができ、ＳＮ比の悪い信号を精度良く復調できるという効果を奏する。
【図面の簡単な説明】
【図１】  この発明の実施の形態１にかかる光受信器の構成を示すブロック図である。
【図２】  図１に示したループ回路の構成を示す回路図である。
【図３】  この発明の実施の形態２にかかる光受信器の構成を示すブロック図である。
【図４】  図３に示した差動出力光変調器の構成を示すブロック図である。
【図５】  図３に示した差動出力光変調器の動作を説明するためのブロック図である。
【図６】  この発明の実施の形態３にかかる光受信器の構成を示すブロック図である。
【図７】  光サブキャリア通信を行う通信システムの従来例の構成を示す図である。
【符号の説明】
４０  光受信器、４１，４７ａ，５１  入力端子、４２，５０ａ  光合分波器、４３  光変調器、４４，４４ａ，４４ｂ，４４ｃ，４４ｄ  光電気変換素子、４５，４５ａ，４５ｂ  電気増幅器、４６  発振器、４７  ループ回路、４７ｂコンデンサ、４７ｃ，５５  乗算器、４７ｄ  ループフィルタ、４７ｅ  増幅器、４７ｆ  加算器、４７ｇ  ディザ発振器、４７ｈ，４７ｊ，４９，５２，５３  出力端子、４７ｉ，４８，４８ａ，４８ｂ  ＬＰＦ、５０，５０ｅ，５０ｆ差動出力光変調器、５０ｂ，５０ｃ  変調器、５０ｄ  位相反転器、５６  位相シフタ。
【図１】
0004090707.tif 000002
【図２】
0004090707.tif 000003
【図３】
0004090707.tif 000004
【図４】
0004090707.tif 000005
【図５】
0004090707.tif 000006
【図６】
0004090707.tif 000007
【図７】
0004090707.tif 000008